(57)【要約】【課題】  エアポンプの構造に一つの新規な機能である集塵機能を付加する。【解決手段】  エアポンプ１、集塵ケース２、軟質接続管３及び吹きつけ配管４から構成される。エアポンプ１は空気充填ヘッド１１と吸気ヘッド１２を含み、集塵ケース２は、吸気孔２１４を備えた上集塵ケース２１と下集塵ケース２２とを相互に嵌合または螺合して成る。下集塵ケース２２はその底部から該ケース内方に向けて突出した管体２２１が設けられる。エアポンプ１の吸気ヘッド１２は集塵ケース２の管体２２１に着脱自在に連結される。軟質接続管３は、一端がエアポンプ１の吸気ヘッド１２に着脱自在に連結され、他端が集塵ケース２の管体２２１に着脱自在に連結され、軟質接続管３を介してエアポンプ１と集塵ケース２の両者間を分離可能とされる。吹きつけ配管４は、一端が空気充填ヘッド１１に着脱自在に連結され、他端に吹きつけヘッド４１が着脱自在に設けられる。【選択図】          図４
0003109517.tif 000002
【実用新案登録請求の範囲】
【請求項１】
エアポンプを主体とし、前記エアポンプに集塵ケースを組み合わせて集塵機能を形成したエアポンプ掃除機であって、エアポンプ、集塵ケース、軟質接続管及び吹きつけ配管から構成され、前記エアポンプは空気充填ヘッドと吸気ヘッドを含み、前記集塵ケースは、吸気孔を備えた上集塵ケースと下集塵ケースとを相互に嵌合または螺合して成り、前記下集塵ケースはその底部が凹み状を呈し、かつ前記底部から該ケース内方に向けて突出した管体が設けられ、前記上集塵ケースの内部に嵌入式のフィルタ座体が設置され、前記フィルタ座体の底部にフィルタが設置され、前記吸気孔の内側に軟質遮蔽板が設置され、前記エアポンプの前記吸気ヘッドは前記集塵ケースの前記管体に着脱自在に連結され、前記軟質接続管は、その一端が前記エアポンプの前記吸気ヘッドに着脱自在に連結され、他端が前記集塵ケースの前記管体に着脱自在に連結され、前記軟質接続管を介して前記エアポンプと前記集塵ケースの両者間を分離可能とされ、前記吹きつけ配管は、その一端が前記エアポンプの前記空気充填ヘッドに着脱自在に連結され、他端に口が窄まった形状の吹きつけヘッドが着脱自在に設けられたことを特徴とする、エアポンプ掃除機。
【請求項２】
前記軟質接続管及び前記吹きつけ配管は、可曲性を備えた軟質の中空管体であることを特徴とする請求項１に記載のエアポンプ掃除機。
【考案の詳細な説明】
【技術分野】
【０００１】
本考案は、エアポンプ掃除機に関し、特に、小型のエアポンプと集塵機能を組み合わせたダブル機能の高機能設計であり、その設計理念はエアポンプに集塵機能を付与するほか、集塵において高圧の気体吹きつけと同時に吸塵する機能を兼ね備え、さらに、集塵機能において吹きつけ及び吸塵の２つの機能を兼備した特有の構造設計による革新的なエアポンプ掃除機に関する。
【背景技術】
【０００２】
現在一般的な小型掃除機は、すべて単一の集塵機能のみを備えた構造であり、その他の用途に用いることができず、且つ、大部分の小型掃除機は、家庭での使用または自動車の付属品として運転者が車内の埃や毛髪等、顆粒性のごみを吸い取り掃除する際に用いられている。
【０００３】
図１に示すように、車用の小型掃除機Ａ１を例にとってみると、その構造体は簡単で、且つ、使用においても利便性があり、その構造は、主に送風機Ａ２が高速回転し外界空気を取り込む際、同時に毛髪や埃、顆粒性のごみ等を空気と一緒に掃除機の集塵ケースＡ３内へ吸入する。次に、送風機Ａ２内部のモータを保護するため、吸気側にフィルタ座体Ａ４を嵌置して、吸入した毛髪や埃、顆粒性のごみ等の被吸引物を阻隔して送風機Ａ２の外へ排除し、内部のモータの破損を防ぐ。このような構造と理念を利用し、我々が求める集塵の目的及び機能を達している。
【０００４】
従来の小型掃除機Ａ１の構造について理解すると同時に、以下のような欠点があることが分かる。その集塵作用は、送風機Ａ２が外界空気を吸い込むことにより達せられており、その吸気には同時に排気が発生し、且つ、この吸気と排気は同等の流量である。逆にいえば、従来の小型掃除機Ａ１の排気は後方の排気孔から放出され、有効に再利用されることはないため、従来の小型掃除機Ａ１は単一の集塵機能しか備えていないということである。上述のように、従来の小型掃除機Ａ１は、その機構上の制限により、変化や革新することができない。
【０００５】
次に、本考案のもう一つの関連物であるエアポンプに関してみると、その機能性と理念は前述の小型掃除機Ａ１とちょうど完全に反対の機能であり、吸入した外界空気の排出（空気充填）に利用される。エアポンプの構造は、空気充填ヘッドと吸気ヘッドを含み、その動作方式は非常に簡単であり、主に内部の送風ファンが高速で旋回し、外界空気を吸気ヘッドから吸入し、空気充填ヘッドから高速で排出して空気充填機能が得られるもので、この動作における吸気と空気充填は同等の流量である。このようなエアポンプの空気充填機能により、エアボートや水上空気充填型玩具、エアベッド等の空気充填型製品に迅速に空気の充填を行うことができる。
【０００６】
さらに従来のエアポンプについて説明すると、利用する産物は空気充填（排気）作用であり、その吸気作用は有効に再利用できず完全に無駄となってしまっているに等しく、このため、これら製品は同様に単一の空気充填機能のみを備えているに留まり、変化や革新することができないという同様の状況にある。なお、集塵機能と空気充填機能とを兼ね備えた公知技術、公知文献は発見できなかった。
【考案の開示】
【考案が解決しようとする課題】
【０００７】
本考案は、上述の問題を鑑みてなされたものであり、その目的は、エアポンプと掃除機を合体させるという理念に基づき、エアポンプの構造に一つの新規な機能である集塵機能を付加し、従来の小型掃除機の購入費用を完全に節約することができるだけでなく、エアポンプに二機能一体型の高利用価値と実用性を持たせ、同時に、空気充填機が持つ高圧空気充填機能からさらに被吸引物に対する空気の吹きつけという実用的効果を付加し、集塵が困難な細い隙間や層間に挟まった被吸引物の吸い取りを可能にした、エアポンプ掃除機を提供することにある。
【課題を解決するための手段】
【０００８】
請求項１に係るエアポンプ掃除機は、エアポンプを主体とし、前記エアポンプに集塵ケースを組み合わせて集塵機能を形成したエアポンプ掃除機であって、エアポンプ、集塵ケース、軟質接続管及び吹きつけ配管から構成され、前記エアポンプは空気充填ヘッドと吸気ヘッドを含み、前記集塵ケースは、吸気孔を備えた上集塵ケースと下集塵ケースとを相互に嵌合または螺合して成り、前記下集塵ケースはその底部が凹み状を呈し、かつ前記底部から該ケース内方に向けて突出した管体が設けられ、前記上集塵ケースの内部に嵌入式のフィルタ座体が設置され、前記フィルタ座体の底部にフィルタが設置され、前記吸気孔の内側に軟質遮蔽板が設置され、前記エアポンプの前記吸気ヘッドは前記集塵ケースの前記管体に着脱自在に連結され、前記軟質接続管は、その一端が前記エアポンプの前記吸気ヘッドに着脱自在に連結され、他端が前記集塵ケースの前記管体に着脱自在に連結され、前記軟質接続管を介して前記エアポンプと前記集塵ケースの両者間を分離可能とされ、前記吹きつけ配管は、その一端が前記エアポンプの前記空気充填ヘッドに着脱自在に連結され、他端に口が窄まった形状の吹きつけヘッドが着脱自在に設けられたことを特徴とする。
【０００９】
また、請求項２に係るエアポンプ掃除機は、請求項１に係るエアポンプ掃除機において、前記軟質接続管及び前記吹きつけ配管は、可曲性を備えた軟質の中空管体であることを特徴とするものである。
【考案の効果】
【００１０】
本考案によって提供される利点は以下の通りである。単一の空気充填機能のみを備えたエアポンプに集塵機能を付加し、エアポンプの使用機能及び利用価値を向上することができる。集塵作業時に、同時に吹きつけ機能を用いて集塵機能を実施することができ、単一の集塵機能のみを備えた従来の掃除機に比べ機能が向上されている。同時に吹きつけ及び集塵機能を用いることで、吹きつけにより迅速に被吸引物を集めることができ、集塵効率が向上するだけでなく、細い隙間や層間に挟まったごみを吹き出した後集塵するという絶妙な機能が得られる。エアポンプそのものが有する空気充填機能に完全に影響を与えたり変化させたりすることなく、単一ではエアポンプとして、また集塵ケース及び吹きつけ配管を組み込んだときには掃除機として使用することができるため、２つの機能を備えた高い利用価値が実現される。集塵ケースは、エアポンプと迅速に分解及び組み立てができるだけでなく、良好な粉塵、ごみの収集能力を備えている。集塵ケースとエアポンプは、エアポンプと集塵ケースの両者間を１本の軟質接続管により連結すると、エアポンプから集塵ケースを分離して用いることができ、両者相互間の牽制性を排除し、集塵ケースを単独で集塵に用いる際に便利である。また、吸気孔の内側に軟質遮蔽板が設置されていることにより、集塵ケース内にすでに収集されたごみが吸気孔の外へ漏れ出るのを防ぐことができる。
【考案を実施するための最良の形態】
【００１１】
図２は、本考案のエアポンプ掃除機の主要部を示す斜視図である。エアポンプ掃除機は、小型のエアポンプ１を主体とし、さらに該エアポンプ１に集塵機能を有する集塵ケース２を付加して主要部が構成されたものである。なお、図３は、本考案のエアポンプ掃除機の主要部をエアポンプ１と集塵ケース２とに分解して示す斜視図である。図４は、本考案のエアポンプ掃除機の全体を示す斜視図である。エアポンプ掃除機は、その全体の構造は、エアポンプ１、集塵ケース２、軟質接続管３、吹きつけ配管４の構成部品から成る。そのうち、エアポンプ１は、その基本構造において、平坦に形成されたエアポンプ１の上部より側方に向けて突出した管状の空気充填ヘッド１１と、エアポンプ１の上部中央より上方に向けて突出した管状の吸気ヘッド１２とを含む（図３及び図４参照）。空気充填ヘッド１１には吹きつけ配管４が着脱自在に連結される（図４参照）。また、吸気ヘッド１２には、集塵ケース２または軟質接続管３がそれぞれ着脱自在に連結される（図３及び図４参照）。
【００１２】
図５は、集塵ケース２の分解斜視図である。また、図６は、集塵ケース２とその内部の集塵動作を示す断面図である。集塵ケース２は全体として尖筒状を呈しており、先端に吸気孔２１４を備えた上集塵ケース２１と下集塵ケース２２とを相互に嵌合または螺合して成る。そのうち、下集塵ケース２２は、底部が凹み状であり、且つ底部中央から該ケース内方に向けて突出した管体２２１が設けられ、エアポンプ１の吸気ヘッド１２を管体２２１に直接挿入接続するか、或いは管体２２１に軟質接続管３を連結し、集塵ケース２をエアポンプ１から分離状態にして独立して使用することができる。なお、軟質接続管３は可曲性を備えた軟質の中空管体よりなる。即ち、図４に示すように、エアポンプ１の吸気ヘッド１２に軟質接続管３の一端を外挿することにより接続し、集塵ケース２の管体２２１に軟質接続管３の他端を挿入接続することで、エアポンプ１と集塵ケース２とを軟質接続管３で相互に連結し、効果的にエアポンプ１と集塵ケース２とを分離することができ、両者間の牽制性を排除して集塵ケース２を単独で吸塵に使用する際の利便性を高めることができる。
【００１３】
図５、図６に示すように、集塵ケース２の内部には嵌入式のフィルタ座体２１２が設置され、該フィルタ座体２１２の底部にはフィルタ２１３が設置される。このほか、上集塵ケース２１の吸気孔２１４の内側にさらに軟質遮蔽板２１５を設け、この軟質遮蔽板２１５により、すでに集塵ケース２内に収集されたごみが集塵ケース２の吸気孔２１４から外へ出ないように効果的に遮蔽する（図６参照）。
【００１４】
図２、図３に示すように、集塵ケース２の管体２２１にエアポンプ１の吸気ヘッド１２を挿入して集塵ケース２をエアポンプ１に接合すると、手持ちタイプのエアポンプと掃除機の併合体となる。図３に示すように、該集塵ケース２の吸気孔２１４には、集塵専用の吸入ブラシ５等の部品を設置してもよい。また、エアポンプ１の空気充填ヘッド１１に、可曲性を備えた軟質の中空管体よりなる吹きつけ配管４を連結すると、吹きつけ及び集塵の２つの機能が同時に実施可能となる。さらに、エアポンプ１の空気充填ヘッド１１に吹きつけ配管４を連結し、且つ、吹きつけ配管４の先端に専用の口が窄まった形状の吹きつけヘッド４１を着脱自在に設け、吹きつけ機能の利便性を高める。集塵作業時に、同時に吹きつけ機能を用いて集塵機能を実施することができ、また、吹きつけにより迅速に被吸引物を集めることができ、集塵効率が向上するだけでなく、細い隙間や層間に挟まったごみを吹き出した後集塵するという絶妙な機能が得られる。
【００１５】
組み立て完了後、エアポンプ１を起動すると、空気充填ヘッド１１から高圧の空気が排出されるため、吹きつけ配管４を介して高圧の吹きつけ機能を得ることができる。エアポンプ１の吸気ヘッド１２は、高い吸気作用が発生し、軟質接続管３及び集塵ケース２と吸入ブラシ５の組み合わせ下において、効果的に集塵機能を得ることができる。実際の使用においては、図４に示すように、吹きつけと吸塵を相互に組み合わせて作用させ、集塵、除塵及び吸塵效率を大幅に向上することができる。
【図面の簡単な説明】
【００１６】
【図１】従来の袋充填用チューブの分解斜視図である。
【図２】本考案のエアポンプ掃除機の主要部を示す斜視図である。
【図３】本考案のエアポンプ掃除機の主要部を小型エアポンプと集塵ケースとに分解して示す斜視図である。
【図４】本考案のエアポンプ掃除機の全体を示す斜視図である。
【図５】集塵ケースの分解斜視図である。
【図６】集塵ケースとその内部の集塵動作を示す断面図である。
【符号の説明】
【００１７】
１  エアポンプ
２  集塵ケース
３  軟質接続管
４  吹きつけ配管
５  吸入ブラシ
１１  空気充填ヘッド
１２  吸気ヘッド
２１  上集塵ケース
２２  下集塵ケース
４１  吹きつけヘッド
２１２  フィルタ座体
２１３  フィルタ
２１４  吸気孔
２１５  軟質遮蔽板
２２１  管体
【図１】
0003109517.tif 000003
【図２】
0003109517.tif 000004
【図３】
0003109517.tif 000005
【図４】
0003109517.tif 000006
【図５】
0003109517.tif 000007
【図６】
0003109517.tif 000008